Podtech/llm-jp-corpus-v4-ja_patent huggingface dataset:
【手続補正書】
【提出日】平成24年10月25日(2012.10.25)
【手続補正１】
【補正対象書類名】明細書
【補正対象項目名】発明の名称
【補正方法】変更
【補正の内容】
【発明の名称】鏡筒およびレンズ鏡筒
【手続補正２】
【補正対象書類名】明細書
【補正対象項目名】０００１
【補正方法】変更
【補正の内容】
【０００１】
本発明は、鏡筒およびレンズ鏡筒に関するものである。
【手続補正３】
【補正対象書類名】明細書
【補正対象項目名】００１５
【補正方法】変更
【補正の内容】
【００１５】
本発明は上記問題を解決するもので、薄型化を図った鏡筒およびレンズ鏡筒を提供することを目的としている。
【手続補正４】
【補正対象書類名】明細書
【補正対象項目名】００１６
【補正方法】変更
【補正の内容】
【００１６】
上記目的を達成するために本発明のレンズ鏡筒は、光軸を有する、少なくとも１枚のレンズと、前記光軸に略垂直な第１面と前記第１面に隣接する第２面とを有する第１枠と、少なくとも１つの電装物と、前記電装物を保持する第２枠と、前記第１枠に一部が固定され、前記第１面から前記第２面に曲げられる屈曲部を有する第１電気基板と、前記第２枠に一部が固定される第２電気基板と、を備え、前記第１電気基板と前記第２電気基板は、前記第２面上で電気接続される構成である。
【手続補正５】
【補正対象書類名】明細書
【補正対象項目名】００１７
【補正方法】変更
【補正の内容】
【００１７】
また、上記目的を達成するために本発明の鏡筒は、第１枠と、前記第１枠に対して範囲で相対的に移動可能な第２枠と、を備える鏡筒であって、  前記第１枠には第１電気基板が設けられ、当該第１電気基板は、前記第１枠の底面から配線され、かつ、前記第１枠の底面から屈曲されることで側面に配線され、  前記第２枠には第２電気基板が設けられ、当該第２電気基板は前記第１枠の側面まで配線され、  前記第１電気基板は、前記第１枠の側面上で前記第２電気基板と接続される、構成である。
【手続補正６】
【補正対象書類名】明細書
【補正対象項目名】００１８
【補正方法】変更
【補正の内容】
【００１８】
本発明の鏡筒およびレンズ鏡筒によれば、鏡筒およびレンズ鏡筒の厚み（光軸方向の厚み）が厚くなることがない。したがって、鏡筒およびレンズ鏡筒の薄型化を図れる。
【手続補正７】
【補正対象書類名】明細書
【補正対象項目名】００５２
【補正方法】変更
【補正の内容】
【００５２】
本発明は、デジタルカメラやビデオムービー等の鏡筒およびレンズ鏡筒に適用可能である。
【手続補正８】
【補正対象書類名】特許請求の範囲
【補正対象項目名】全文
【補正方法】変更
【補正の内容】
【特許請求の範囲】
【請求項１】
光軸を有する、少なくとも１枚のレンズと、
前記光軸に略垂直な第１面と前記第１面に隣接する第２面とを有する第１枠と、
少なくとも１つの電装物と、
前記電装物を保持する第２枠と、
前記第１枠に一部が固定され、前記第１面から前記第２面に曲げられる屈曲部を有する第１電気基板と、
前記第２枠に一部が固定される第２電気基板と、
を備え、
前記第１電気基板と前記第２電気基板は、前記第２面上で電気接続される
ことを特徴とするレンズ鏡筒。
【請求項２】
前記第１電気基板は、前記第１面に略平行に配置された平行部を有し、
前記平行部にカメラ本体の制御部と接続される第１端部が配置されている、
請求項１に記載のレンズ鏡筒。
【請求項３】
前記第１端部は、前記第１面の外形からさらに突出している、
請求項２に記載のレンズ鏡筒。
【請求項４】
前記第１電気基板は、カメラ本体の制御部と接続される第１端部を有し、
前記第１端部は、前記第１面の外形からさらに突出している、
請求項１に記載のレンズ鏡筒。
【請求項５】
前記屈曲部を通過する電気配線には、前記第２面上で電気接続される電気配線が含まれている、
請求項１から４のいずれかに記載のレンズ鏡筒。
【請求項６】
前記第１電気基板は、電気接続のための差込受け部を有し、
前記第２電気基板は、電気接続のための差込部を有し、
前記差込部と前記差込受け部と結合することで、前記第１電気基板と前記第２電気基板を電気接続する、
請求項１から５のいずれかに記載のレンズ鏡筒。
【請求項７】
前記第１電気基板は、電気接続のための差込部を有し、
前記第２電気基板は、電気接続のための差込受け部を有し、
前記差込部と前記差込受け部と結合することで、前記第１電気基板と前記第２電気基板を電気接続する、
請求項１から５のいずれかに記載のレンズ鏡筒。
【請求項８】
前記差込部と前記差込受け部の差込方向は、前記屈曲部の屈曲方向に平行である、
請求項６又は７に記載のレンズ鏡筒。
【請求項９】
前記差込部と前記差込受け部の差込方向に略平行な方向に対して、前記第１電気基板が固定される固定部を、前記第２面に有する、
請求項６から８のいずれかに記載のレンズ鏡筒。
【請求項１０】
前記差込部と前記差込受け部の差込方向に略平行な方向に対して、前記第２電気基板が固定される固定部を、前記第２面に有する、
請求項６から８のいずれかに記載のレンズ鏡筒。
【請求項１１】
前記電装物は、シャッターユニット、又は、手ブレ補正機構、又は、絞り機構が含まれている
請求項１から１０のいずれかに記載のレンズ鏡筒。
【請求項１２】
前記第２面は、前記第１面と略垂直である、
請求項１から１１のいずれかに記載のレンズ鏡筒。
【請求項１３】
前記第２枠は、前記第１枠に対し移動可能である、
請求項１から１２のいずれかに記載のレンズ鏡筒。
【請求項１４】
前記第２枠を移動するためのアクチュエータを備え、
前記第１電気基板は、前記アクチュエータに接続される第２端部を有している、
請求項１から１３のいずれかに記載のレンズ鏡筒。
【請求項１５】
第１枠と、前記第１枠に対して範囲で相対的に移動可能な第２枠と、を備える鏡筒であって、
前記第１枠には第１電気基板が設けられ、当該第１電気基板は、前記第１枠の底面から配線され、かつ、前記第１枠の底面から屈曲されることで側面に配線され、
前記第２枠には第２電気基板が設けられ、当該第２電気基板は前記第１枠の側面まで配線され、
前記第１電気基板は、前記第１枠の側面上で前記第２電気基板と接続される、
鏡筒。
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
ＡｒＦ露光光が適用される転写用マスクの製造に用いられ、透光性基板の上に転写パターンを形成するための薄膜を有するマスクブランクであって、
前記薄膜は、ＡｒＦ露光光の照射を受けるとＡｒＦ露光光よりも長い波長の蛍光を発する蛍光物質を含有する材料からなることを特徴とするマスクブランク。
【請求項２】
前記蛍光物質は、金属の酸化物、窒化物または酸窒化物を主成分とし、６．４ｅＶ未満のバンドギャップを有することを特徴とする請求項１記載のマスクブランク。
【請求項３】
前記蛍光物質は、チタン、アルミニウム、鉄、タンタル、ジルコニウム、ハフニウム、ガリウム、イットリウムおよびランタンのうち少なくとも１以上の金属を含有する物質であることを特徴とする請求項２記載のマスクブランク。
【請求項４】
前記蛍光物質は、ケイ素の窒化物を含有し、２．０ｅＶ以上６．４ｅＶ未満の範囲のバンドギャップに調整されている物質であることを特徴とする請求項１記載のマスクブランク。
【請求項５】
前記蛍光物質は、金属とケイ素の酸化物、金属とケイ素の窒化物、および金属とケイ素の酸窒化物のうち少なくともいずれかを含有し、３．０ｅＶ以上６．４ｅＶ未満の範囲のバンドギャップに調整されている物質であることを特徴とする請求項１記載のマスクブランク。
【請求項６】
前記蛍光物質は、ジルコニウムの酸化物、ハフニウムの酸化物、イットリウムの酸化物、ランタンの酸化物、アルミニウムの窒化物、ケイ素の窒化物、ジルコニウムシリサイドの酸化物、ハフニウムシリサイドの酸化物、およびアルミニウムシリサイドの酸化物のうち少なくともいずれかを含有し、３．０ｅＶ以上６．４ｅＶ未満の範囲のバンドギャップに調整されている物質であることを特徴とする請求項１記載のマスクブランク。
【請求項７】
前記薄膜は、透光性基板側から下層と上層の少なくとも二層以上が順に積層する構造であり、前記下層は前記蛍光物質を含有する材料で形成されていることを特徴とする請求項１から６のいずれかに記載のマスクブランク。
【請求項８】
前記下層は、６．４ｅＶよりも大きいバンドギャップを有する物質中に前記蛍光物質をドープした材料で形成されていることを特徴とする請求項７記載のマスクブランク。
【請求項９】
前記下層は、ＳｉＯ２、Ａｌ２Ｏ３、およびＣａＦ２のうち少なくともいずれかを含有する物質中に前記蛍光物質をドープした材料で形成されていることを特徴とする請求項７記載のマスクブランク。
【請求項１０】
前記上層は、前記蛍光物質を含有しない材料からなることを特徴とする請求項７から９のいずれかに記載のマスクブランク。
【請求項１１】
請求項１から１０のいずれかに記載のマスクブランクの薄膜に転写用パターンを形成してなることを特徴とする転写用マスク。
【請求項１２】
請求項１１に記載の転写用マスクを２枚セットとした転写用マスクセットであって、前記２枚の転写用マスクに形成されている各転写パターンは、転写対象物に転写露光する１つの転写パターンを２つの転写パターンに分割したものであることを特徴とする転写用マスクセット。
【請求項１３】
請求項１２に記載の転写用マスクセットを用い、ウェハ上のレジスト膜に前記１つの転写パターンを露光転写することにより、ウェハ上にレジストパターンを形成する工程を備えることを特徴とする半導体デバイスの製造方法。
【手続補正書】
【提出日】平成24年10月30日(2012.10.30)
【手続補正１】
【補正対象書類名】明細書
【補正対象項目名】００１１
【補正方法】変更
【補正の内容】
【００１１】
本発明は、画像形成部にて形成されてシートの片面に転写されたトナー像を定着部により定着させ、シートの両面に画像を形成する際には、前記トナー像が片面に定着されたシートを反転させて再度、前記画像形成部に搬送する画像形成装置において、シートを前記画像形成部に給送するシート給送部と、前記シート給送部のシート給送動作を制御する制御部と、を備え、前記制御部は、片面画像形成が終了した後、シートの両面に画像を形成する両面画像形成を開始するにあたって、前記片面画像形成の際に片面に画像が形成されたシートの枚数が所定枚数以上ならば、前記片面画像形成時における最後のシート給送動作を行ってから、シートの枚数が所定枚数未満の場合よりも遅いタイミングでシート給送動作を開始するように前記シート給送部を制御することを特徴とするものである。
【手続補正２】
【補正対象書類名】明細書
【補正対象項目名】００４６
【補正方法】変更
【補正の内容】
【００４６】
以上説明したように、本実施の形態においては、両面印字の際、片面にトナー画像が形成されるシートの枚数の増加に伴い、シート給送動作を開始するタイミングを、片面にトナー画像を形成する際のタイミングよりも遅らせるようにしている。つまり、片面ジョブが終了した後、両面ジョブを開始するにあたって、片面ジョブの際に画像が形成されたシートの枚数が所定枚数以上ならば、片面ジョブにおける最後のシート給送動作を行ってから遅いタイミングでシート給送動作を開始する。これにより、片面印字後の両面印字において、スイッチバックローラ対１４や切替部材１３に水蒸気Ｗが結露した状態から、片面印字の枚数に応じて最適な待機時間で両面印字をスタートすることができる。この結果、シートＳの表面に水滴が付着することがなくなり、二次転写部３０でのトナー像の転写時に、水滴の付着によりシート表面が低抵抗化してしまい画像抜けが発生するのを防ぐことができる。
【手続補正３】
【補正対象書類名】特許請求の範囲
【補正対象項目名】全文
【補正方法】変更
【補正の内容】
【特許請求の範囲】
【請求項１】
画像形成部にて形成されてシートの片面に転写されたトナー像を定着部により定着させ、シートの両面に画像を形成する際には、前記トナー像が片面に定着されたシートを反転させて再度、前記画像形成部に搬送する画像形成装置において、
シートを前記画像形成部に給送するシート給送部と、
前記シート給送部のシート給送動作を制御する制御部と、を備え、
前記制御部は、片面画像形成が終了した後、シートの両面に画像を形成する両面画像形成を開始するにあたって、前記片面画像形成の際に片面に画像が形成されたシートの枚数が所定枚数以上ならば、前記片面画像形成時における最後のシート給送動作を行ってから、シートの枚数が所定枚数未満の場合よりも遅いタイミングでシート給送動作を開始するように前記シート給送部を制御することを特徴とする画像形成装置。
【請求項２】
前記制御部は、前記片面画像形成の際には、所定のタイミング毎にシート給送動作を行うように前記シート給送部を制御し、
前記片面画像形成が終了した後、前記両面画像形成を開始するにあたって、前記片面画像形成の際に片面に画像が形成されたシートの枚数が所定枚数以上ならば、前記片面画像形成時における最後のシート給送動作を行ってから前記所定のタイミングよりも遅いタイミングでシート給送動作を開始するように前記シート給送部を前記制御部が制御することを特徴とする請求項１に記載の画像形成装置。
【請求項３】
前記制御部は、前記片面画像形成が終了した後、前記両面画像形成を開始するにあたって、前記片面画像形成の際に片面に画像が形成されたシートの枚数が前記所定枚数未満ならば、前記片面画像形成時における最後のシート給送動作を行ってから前記所定のタイミングでシート給送動作を開始するように前記シート給送部を制御することを特徴とする請求項２に記載の画像形成装置。
【請求項４】
前記シート給送動作を開始するタイミングは、前記片面画像形成の際にシートから発生した水蒸気量と、前記片面画像形成が終了してから前記両面画像形成が開始されるまでの間に結露した後、蒸発する水蒸気量の予測に基づいて設定することを特徴とする請求項１乃至３のいずれか１項に記載の画像形成装置。
【請求項５】
画像形成装置本体が設置された環境の温度を検知する温度検知部と、
画像形成装置本体が設置された環境の湿度を検知する湿度検知部と、を備え、
前記制御部は、前記温度検知部からの温度情報及び前記湿度検知部からの湿度情報に基づいて前記両面画像形成を行う場合の、前記シート給送動作を開始するタイミングを設定することを特徴とする請求項１ないし４のいずれか１項に記載の画像形成装置。
【請求項６】
画像形成部にて形成されてシートの片面に転写されたトナー像を定着部により定着させ、シートの両面に画像を形成する際には、前記トナー像が片面に定着されたシートを反転させて再度、前記画像形成部に搬送する画像形成装置において、
前記定着部のシート搬送方向下流側に設けられ、前記トナー像が片面に定着されたシートを反転させて再度、前記画像形成部に搬送する再搬送部と、
前記再搬送部のシート搬送動作を制御する制御部と、を備え、
前記制御部は、シートの片面に画像を形成する片面画像形成が終了した後、シートの両面に画像を形成する両面画像形成を行う場合には、片面にトナー画像が形成されたシートを前記再搬送部で一旦停止、あるいはシート搬送速度を減速させるように前記再搬送部を制御することを特徴とする画像形成装置。
【請求項７】
前記制御部は、前記片面画像形成が終了した後、前記両面画像形成を行う場合には、前記片面画像形成の際に片面に画像が形成されたシートの枚数が所定枚数以上ならば、シートの枚数が所定枚数未満の場合よりも片面にトナー画像が形成されたシートを前記再搬送部で一旦停止させる時間を長くするように制御することを特徴とする請求項６記載の画像形成装置。
【請求項８】
前記再搬送部における前記定着部の近傍でシートを一旦停止、あるいはシート搬送速度を減速させ、かつ前記定着部の近傍に、画像形成装置本体の外部へ通じる開口部を有することを特徴とする請求項６又は７記載の画像形成装置。
【請求項９】
画像が形成されたシートを反転させて再度、前記画像形成部に搬送する再搬送路と、
前記再搬送路と前記定着部とを連通させる連通部と、を備えたことを特徴とする請求項６ないし８のいずれか１項に記載の画像形成装置。
【手続補正書】
【提出日】平成24年3月28日(2012.3.28)
【手続補正１】
【補正対象書類名】特許請求の範囲
【補正対象項目名】請求項１３
【補正方法】変更
【補正の内容】
【請求項１３】
物体の倒立像を中間像面上に中間像として形成する第１のレンズと該第１のレンズが形成した中間像の倒立像を結像面上に形成する第２のレンズとからなるレンズ対が、該レンズ対の光軸と直交する方向へ略直線に複数配列されたレンズアレイを有し、
前記第１のレンズの第１主平面と物体面との距離をＳＯ１、前記第１のレンズの第２主平面と前記中間像面との距離をＳＩ１、前記第２のレンズの第１主平面と前記中間像面との距離をＳＯ２、前記第２のレンズの第２主平面と前記結像面との距離をＳＩ２としたとき、距離ＳＯ１の距離ＳＩ１に対する比が、距離ＳＩ２の距離ＳＯ２に対する比に略等しく、前記第１のレンズと前記物体面との間隔が、前記第２のレンズと前記結像面との間隔と異なるように形成されているレンズユニットを用いたＬＥＤヘッド。
【手続補正２】
【補正対象書類名】特許請求の範囲
【補正対象項目名】請求項１４
【補正方法】変更
【補正の内容】
【請求項１４】
物体の倒立像を中間像面上に中間像として形成する第１のレンズと該第１のレンズが形成した中間像の倒立像を結像面上に形成する第２のレンズとからなるレンズ対が、該レンズ対の光軸と直交する方向へ略直線に複数配列されたレンズアレイを有し、
前記第１のレンズの第１主平面と物体面との距離をＳＯ１、前記第１のレンズの第２主平面と前記中間像面との距離をＳＩ１、前記第２のレンズの第１主平面と前記中間像面との距離をＳＯ２、前記第２のレンズの第２主平面と前記結像面との距離をＳＩ２としたとき、距離ＳＯ１の距離ＳＩ１に対する比が、距離ＳＩ２の距離ＳＯ２に対する比に略等しく、前記第１のレンズと前記物体面との間隔が、前記第２のレンズと前記結像面との間隔と異なるように形成されているレンズユニットを用いた露光装置。
【手続補正３】
【補正対象書類名】特許請求の範囲
【補正対象項目名】請求項１５
【補正方法】変更
【補正の内容】
【請求項１５】
物体の倒立像を中間像面上に中間像として形成する第１のレンズと該第１のレンズが形成した中間像の倒立像を結像面上に形成する第２のレンズとからなるレンズ対が、該レンズ対の光軸と直交する方向へ略直線に複数配列されたレンズアレイを有し、
前記第１のレンズの第１主平面と物体面との距離をＳＯ１、前記第１のレンズの第２主平面と前記中間像面との距離をＳＩ１、前記第２のレンズの第１主平面と前記中間像面との距離をＳＯ２、前記第２のレンズの第２主平面と前記結像面との距離をＳＩ２としたとき、距離ＳＯ１の距離ＳＩ１に対する比が、距離ＳＩ２の距離ＳＯ２に対する比に略等しく、前記第１のレンズと前記物体面との間隔が、前記第２のレンズと前記結像面との間隔と異なるように形成されているレンズユニットを用いた画像形成装置。
【手続補正４】
【補正対象書類名】特許請求の範囲
【補正対象項目名】請求項１７
【補正方法】変更
【補正の内容】
【請求項１７】
物体の倒立像を中間像面上に中間像として形成する第１のレンズと該第１のレンズが形成した中間像の倒立像を結像面上に形成する第２のレンズとからなるレンズ対が、該レンズ対の光軸と直交する方向へ略直線に複数配列されたレンズアレイを有し、
前記第１のレンズの第１主平面と物体面との距離をＳＯ１、前記第１のレンズの第２主平面と前記中間像面との距離をＳＩ１、前記第２のレンズの第１主平面と前記中間像面との距離をＳＯ２、前記第２のレンズの第２主平面と前記結像面との距離をＳＩ２としたとき、距離ＳＯ１の距離ＳＩ１に対する比が、距離ＳＩ２の距離ＳＯ２に対する比に略等しく、前記第１のレンズと前記物体面との間隔が、前記第２のレンズと前記結像面との間隔と異なるように形成されているレンズユニットを用いた読取装置。
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
有機ＥＬ素子と、前記有機ＥＬ素子を駆動する駆動トランジスタと、前記駆動トランジスタを制御する制御信号を保持する保持容量と、を有し、前記有機ＥＬ素子は前記駆動トランジスタのソース電極とドレイン電極のうち一方と電気的に接続されている発光装置であって、
前記保持容量は、金属層と絶縁層と半導体層とをこの順で有しており、
前記半導体層は、前記有機ＥＬ素子が発する光を受光し、
前記保持容量の前記金属層及び前記半導体層のうち一方は、前記駆動トランジスタのゲート電極と電気的に接続され、且つ、他方は一定の電位に設定されていることを特徴とする発光装置。
【請求項２】
基板を有し、
前記保持容量は、前記基板と前記有機ＥＬ素子との間に配置され、
前記保持容量の前記基板の面内方向の面積は、前記有機ＥＬ素子の発光面積よりも大きいことを特徴とする請求項１に記載の発光装置。
【請求項３】
基板を有し、
前記保持容量は、前記基板と前記有機ＥＬ素子との間に配置され、
前記基板とは反対側から前記有機ＥＬ素子が発する光を射出し、
前記有機ＥＬ素子の前記保持容量に近い電極は、厚さが３０ｎｍ以上５０ｎｍ以下である金属層を有していることを特徴とする請求項１または２に記載の発光装置。
【請求項４】
基板を有し、
前記保持容量は、前記基板と前記有機ＥＬ素子との間に配置され、
前記保持容量は、前記基板側から前記金属層と前記絶縁層と前記半導体層と導電層をこの順で有しており、
前記導電層は、金属酸化物導電層と厚さが５ｎｍ以上２００ｎｍ以下である金属層のうち少なくとも一つを有していることを特徴とする請求項１乃至３のいずれか１項に記載の発光装置。
【請求項５】
前記保持容量の前記金属層及び前記半導体層のうち前記他方は、前記駆動トランジスタのソース電極とドレイン電極のうち前記有機ＥＬ素子と電気的に接続されていない方と接続されていることを特徴とする請求項１乃至４のいずれか１項に記載の発光装置。
【請求項６】
前記半導体層の厚さは、５０ｎｍ以上３００ｎｍ以下であり、
前記絶縁層の厚さは、１００ｎｍ以上５００ｎｍ以下であることを特徴とする請求項１乃至５のいずれか１項に記載の発光装置。
【請求項７】
請求項１乃至６のいずれか１項に記載の発光装置を露光光源として用いた露光装置。
【手続補正２】
【補正対象書類名】明細書
【補正対象項目名】発明の名称
【補正方法】変更
【補正の内容】
【発明の名称】発光装置および露光装置
【手続補正３】
【補正対象書類名】明細書
【補正対象項目名】００２４
【補正方法】変更
【補正の内容】
【００２４】
また、光をより面積は効率よく半導体層に受光させるために、保持容量２０の基板４０の面内方向における面積は、発光領域４にある有機ＥＬ素子１０の発光面積より大きく形成されることが望ましい。なお、発光面積とは、発光領域の面積であり、下部電極１１と有機化合物層１２と上部電極１３が基板４０に垂直方向において重なり、絶縁層４２が配置されていない領域の、基板４０の面内方向の面積である。また、図４では、保持容量２０の上に、有機ＥＬ素子１０が形成される構成を採っている。これは、通常のフォトトランジスタのような受光素子と異なり、保持容量が受光素子を兼ねる構成を用いているため、受光素子の上部の平坦性が十分に確保されることに起因する。このため、保持容量２０（受光素子）と有機ＥＬ素子１０との間に膜厚がミクロンオーダーの樹脂からなる平坦化層を設ける必要がなく、保持容量２０の半導体層２３に有機ＥＬ素子１０の光を効率よく吸収させることができる。
【手続補正４】
【補正対象書類名】明細書
【補正対象項目名】００３８
【補正方法】変更
【補正の内容】
【００３８】
なお、第１の実施形態および第２の実施形態はともに駆動トランジスタ３０がｎ型のものを用いて説明したが、ｐ型の駆動トランジスタを用いることも可能である。例えば、図６のような回路構成を形成するために、図４において、駆動トランジスタ３０の半導体層３２に微結晶シリコン層を用い、保持容量２０の半導体層２３と駆動トランジスタ３０のゲート電極３１とを電気的に接続させる構成を採ればよい。この構成では、保持容量２０の他方の一端Ｎ２である半導体層２３側に一定の電位を印加する電位線９を電気的に接続させて、一定の電位を信号電位より大きくすればよい。
【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
導電性支持体上に設けられた中間層、電荷発生層、電荷輸送層をこの順で備えてなる電子写真感光体において、
前記中間層は、エチレン／アクリル酸二元共重合体及びポリオレフィン樹脂を含有し、前記ポリオレフィン樹脂は、以下で定義される（Ａ１）乃至（Ａ３）を含み、かつ（Ａ１）乃至（Ａ３）の質量比が下記の式をみたす、電子写真感光体。 
０．０１≦（Ａ２）／［｛（Ａ１）＋（Ａ２）＋（Ａ３）｝］×１００≦５０
１．２５≦｛（Ａ１）／（Ａ３）｝×１００≦９８
（Ａ１）：下記式（１１）で示される繰り返し構造単位
【化１】
2011095669.tif 000001
（式（１１）中、Ｒ１１〜Ｒ１４は、それぞれ独立に、水素原子、アルキル基を示す。）（Ａ２）：下記式（２１）または（２２）で示される繰り返し構造単位
【化２】
2011095669.tif 000002
（式（２１）および式（２２）中、Ｒ２１〜Ｒ２４は、それぞれ独立に、水素原子、アルキル基、フェニル基または−Ｙ２１ＣＯＯＨ（Ｙ２１は、単結合、アルキレン基またはアリーレン基を示す。）で示される１価の基を示し、Ｒ２５およびＲ２６は、それぞれ独立に、水素原子、アルキル基またはフェニル基を示し、Ｘ２１は、−Ｙ２２ＣＯＯＣＯＹ２３−（Ｙ２２およびＹ２３は、それぞれ独立に、単結合、アルキレン基またはアリーレン基を示す。）で示される２価の基を示す。ただし、Ｒ２１〜Ｒ２４のうち少なくとも１つは−Ｙ２１ＣＯＯＨで示される１価の基である。）
（Ａ３）：下記式（３１）、式（３２）、式（３３）または式（３４）で示される繰り返し構造単位
【化３】
2011095669.tif 000003
（式（３１）〜式（３４）中、Ｒ３１〜Ｒ３５は、それぞれ独立に、水素原子またはメチル基を示し、Ｒ４１〜Ｒ４３は、それぞれ独立に、炭素数１〜１０のアルキル基を示し、Ｒ５１〜Ｒ５３は、それぞれ独立に、水素原子または炭素数１〜１０のアルキル基を示す。）
【請求項２】
前記中間層は、エチレン／アクリル酸二元共重合体とポリオレフィン樹脂の質量比が下記の式をみたすことを特徴とする請求項１に記載の電子写真感光体。
５／９５≦（エチレン／アクリル酸二元共重合体）／（ポリオレフィン樹脂）≦６０／４０
【請求項３】
前記中間層は、エチレン／アクリル酸二元共重合体中に占めるアクリル酸からなる繰り返し構造単位の質量比が、ポリオレフィン樹脂中に占める（Ａ２）の質量比より大きいことを特徴とする請求項１または２に記載の電子写真感光体。
【請求項４】
前記ポリオレフィン樹脂は、前記（Ａ１）〜（Ａ３）の質量比が下記式をみたすことを特徴とする請求項１乃至３のいずれか１項に記載の電子写真感光体。
０．０１≦（Ａ２）／［｛（Ａ１）＋（Ａ２）＋（Ａ３）｝］×１００≦１０
【請求項５】
前記ポリオレフィン樹脂は、前記（Ａ１）〜（Ａ３）の質量比が下記式をみたすことを特徴とする請求項１乃至４のいずれか１項に記載の電子写真感光体。
０．０１≦（Ａ２）／［｛（Ａ１）＋（Ａ２）＋（Ａ３）｝］×１００≦５
【請求項６】
前記中間層が、金属酸化物粒子をさらに含有することを特徴とする請求項１乃至５のいずれか１項に記載の電子写真感光体。
【請求項７】
前記金属酸化物粒子が、酸化チタン、酸化亜鉛、酸化スズから選ばれる少なくとも１種を含有する粒子であることを特徴とする請求項６に記載の電子写真感光体。
【請求項８】
前記ポリオレフィン樹脂は、エチレン−無水マレイン酸−アクリル酸エステルからなる三元共重合体またはエチレン−無水マレイン酸−メタクリル酸エステルからなる三元共重合体であることを特徴とする請求項１乃至７のいずれか１項に記載の電子写真感光体。
【請求項９】
請求項１乃至８のいずれか１項に記載の電子写真感光体と、帯電手段、現像手段、転写手段およびクリーニング手段からなる群より選択される少なくとも１つの手段とを一体に支持し、電子写真装置本体に着脱自在であるプロセスカートリッジ。
【請求項１０】
請求項１乃至８のいずれか１項に記載の電子写真感光体、帯電手段、露光手段、現像手段および転写手段を有する電子写真装置。
【手続補正２】
【補正対象書類名】明細書
【補正対象項目名】００２６
【補正方法】変更
【補正の内容】
【００２６】
本発明において、中間層中に含有されるエチレン／アクリル酸二元共重合体の量は、５〜６０質量％であることが好ましい。また、中間層中に含有されるポリオレフィン樹脂の含有量は、１７．５〜９５質量％であることが好ましい。なお、中間層中に含有されるエチレン／アクリル酸二元共重合体と上記ポリオレフィン樹脂の質量比は、両者が用いられていれば任意の質量比で用いることができるが、５／９５≦（エチレン／アクリル酸二元共重合体）／（ポリオレフィン樹脂）≦６０／４０の質量比が好ましい。このような質量比をみたす中間層を用いることで、特に環境変動抑制という効果を発揮するため好ましい。５／９５≦（エチレン／アクリル酸二元共重合体）／（ポリオレフィン樹脂）≦４０／６０の質量比とすると、上記効果がより一層高まるためより好ましい。
【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
導電性支持体上に、導電層、中間層および感光層をこの順に設けてなる電子写真感光体であって、
該導電層が体積平均粒径が０．１μｍ以上の導電性粒子、ならびに下記（Ａ１）、（Ａ２）および（Ａ３）を有するポリオレフィン樹脂を含有し、
該ポリオレフィン樹脂における（Ａ１）、（Ａ２）および（Ａ３）の質量比率（％）が下記式（１）を満たす
ことを特徴とする電子写真感光体。
０．０１≦（Ａ２）／｛（Ａ１）＋（Ａ２）＋（Ａ３）｝×１００≦３０  式（１）
（Ａ１）：下記式（１１）で示される繰り返し構造単位
【化１】
2011095668.tif 000001
（式（１１）中、Ｒ１１〜Ｒ１４は、それぞれ独立に、水素原子、アルキル基を示す。）（Ａ２）：下記式（２１）または（２２）で示される繰り返し構造単位
【化２】
2011095668.tif 000002
（式（２１）および（２２）中、Ｒ２１〜Ｒ２４は、それぞれ独立に、水素原子、アルキル基、フェニル基または−Ｙ２１ＣＯＯＨ（式中、Ｙ２１は、単結合、アルキレン基また
はアリーレン基を示す。）で示される１価の基を示し、Ｒ２５およびＲ２６は、それぞれ独立に、水素原子、アルキル基またはフェニル基を示し、Ｘ２１は、−Ｙ２２ＣＯＯＣＯＹ２３−（式中、Ｙ２２およびＹ２３は、それぞれ独立に、単結合、アルキレン基またはアリーレン基を示す。）で示される２価の基を示す。ただし、Ｒ２１〜Ｒ２４のうち少なくとも１つは−Ｙ２１ＣＯＯＨで示される１価の基である。）
（Ａ３）：下記式（３１）、（３２）、（３３）または（３４）で示される繰り返し構造単位
【化３】
2011095668.tif 000003
（式（３１）〜（３４）中、Ｒ３１〜Ｒ３５は、それぞれ独立に、水素原子またはメチル基を示し、Ｒ４１〜Ｒ４３は、それぞれ独立に、炭素数１〜１０のアルキル基を示し、Ｒ５１〜Ｒ５３は、それぞれ独立に、水素原子または炭素数１〜１０のアルキル基を示す。）
【請求項２】
前記ポリオレフィン樹脂における、（Ａ１）、（Ａ２）および（Ａ３）の質量比率（％）が下記式（２）および式（３）を満たす請求項１に記載の電子写真感光体。
０．０１≦（Ａ２）／｛（Ａ１）＋（Ａ２）＋（Ａ３）｝×１００≦１０  式（２）
（Ａ１）／（Ａ３）＝５５／４５〜９９／１  式（３）
【請求項３】
前記ポリオレフィン樹脂における、（Ａ１）、（Ａ２）および（Ａ３）の質量比率（％）が、下記式（４）を満たす請求項１または２に記載の電子写真感光体。
０．０１≦（Ａ２）／｛（Ａ１）＋（Ａ２）＋（Ａ３）｝×１００≦５  式（４）
【請求項４】
前記ポリオレフィン樹脂が、エチレン−アクリル酸エステル−無水マレイン酸三元共重合体、または、エチレン−メタクリル酸エステル−無水マレイン酸三元共重合体である請求項１〜３のいずれか１項に記載の電子写真感光体。
【請求項５】
前記導電層の膜厚が、１０〜３５μｍである請求項１〜４のいずれか１項に記載の電子写真感光体。
【請求項６】
前記導電層における前記導電性粒子の質量比率が５０〜８０質量％であり、前記導電層における前記ポリオレフィン樹脂の質量比率が２０〜５０質量％である請求項１〜５のいずれか１項に記載の電子写真感光体。
【請求項７】
請求項１〜６のいずれか１項に記載の電子写真感光体と、前記電子写真感光体を帯電する帯電手段、前記電子写真感光体上に形成された静電潜像をトナーで現像してトナー像を形成する現像手段およびトナー像を転写材に転写した後の前記電子写真感光体上に残余するトナーを回収するクリーニング手段からなる群より選ばれる少なくとも１つの手段とを
一体に支持し、電子写真装置本体に着脱自在であるプロセスカートリッジ。
【請求項８】
請求項１〜６のいずれか１項に記載の電子写真感光体、前記電子写真感光体を帯電する帯電手段、帯電された前記電子写真感光体に対して露光を行って前記電子写真感光体上に静電潜像を形成する露光手段、前記電子写真感光体上に形成された静電潜像をトナーで現像してトナー像を形成する現像手段および前記電子写真感光体上のトナー像を転写材上に転写する転写手段を備えた電子写真装置。
【手続補正２】
【補正対象書類名】明細書
【補正対象項目名】０００９
【補正方法】変更
【補正の内容】
【０００９】
本発明から、以下の電子写真感光体、プロセスカートリッジおよび電子写真装置が提供される。
導電性支持体上に、導電層、中間層および感光層をこの順に設けてなる電子写真感光体であって、
該導電層が体積平均粒径が０．１μｍ以上の導電性粒子、ならびに下記（Ａ１）、（Ａ２）および（Ａ３）を有するポリオレフィン樹脂を含有し、
該ポリオレフィン樹脂は、（Ａ１）、（Ａ２）および（Ａ３）の質量比率（％）が下記式（１）を満たす
ことを特徴とする電子写真感光体。
０．０１≦（Ａ２）／｛（Ａ１）＋（Ａ２）＋（Ａ３）｝×１００≦３０  式（１）
（Ａ１）：下記式（１１）で示される繰り返し構造単位
【化１】
2011095668.tif 000004
（式（１１）中、Ｒ１１〜Ｒ１４は、それぞれ独立に、水素原子、アルキル基を示す。）（Ａ２）：下記式（２１）または（２２）で示される繰り返し構造単位
【化２】
2011095668.tif 000005
（式（２１）および（２２）中、Ｒ２１〜Ｒ２４は、それぞれ独立に、水素原子、アルキル基、フェニル基または−Ｙ２１ＣＯＯＨ（式中、Ｙ２１は、単結合、アルキレン基またはアリーレン基を示す。）で示される１価の基を示し、Ｒ２５およびＲ２６は、それぞれ独立に、水素原子、アルキル基またはフェニル基を示し、Ｘ２１は、−Ｙ２２ＣＯＯＣＯＹ２３−（式中、Ｙ２２およびＹ２３は、それぞれ独立に、単結合、アルキレン基または
アリーレン基を示す。）で示される２価の基を示す。ただし、Ｒ２１〜Ｒ２４のうち少なくとも１つは−Ｙ２１ＣＯＯＨで示される１価の基である。）
（Ａ３）：下記式（３１）、（３２）、（３３）または（３４）で示される繰り返し構造単位
【化３】
2011095668.tif 000006
（式（３１）〜（３４）中、Ｒ３１〜Ｒ３５は、それぞれ独立に、水素原子またはメチル基を示し、Ｒ４１〜Ｒ４３は、それぞれ独立に、炭素数１〜１０のアルキル基を示し、Ｒ５１〜Ｒ５３は、それぞれ独立に、水素原子または炭素数１〜１０のアルキル基を示す。）
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
導電性支持体上に中間層および感光層をこの順に設けてなる電子写真感光体であって、
前記中間層が、ポリオレフィン樹脂および有機電子輸送物質を含有し、
前記ポリオレフィン樹脂が、下記（Ａ１）および（Ａ２）を含有するポリオレフィン樹脂であり、
前記有機電子輸送物質が、イミド系化合物、ベンズイミダゾール系化合物、キノン系化合物、シクロペンタジエニリデン系化合物、アゾ系化合物およびそれらの誘導体からなる群より選択される化合物である
ことを特徴とする電子写真感光体。
（Ａ１）：下記式（１１）で示される繰り返し構造単位
【化１】
2011095665.tif 000001
（式（１１）中、Ｒ１１〜Ｒ１４は、それぞれ独立に、水素原子またはアルキル基を示す。）
（Ａ２）：下記式（２１）または（２２）で示される繰り返し構造単位
【化２】
2011095665.tif 000002
（式（２１）および（２２）中、Ｒ２１〜Ｒ２４は、それぞれ独立に、水素原子、アルキル基、フェニル基または−Ｙ２１ＣＯＯＨ（式中、Ｙ２１は、単結合、アルキレン基また
はアリーレン基を示す。）で示される１価の基を示し、Ｒ２５およびＲ２６は、それぞれ独立に、水素原子、アルキル基またはフェニル基を示し、Ｘ２１は、−Ｙ２２ＣＯＯＣＯＹ２３−（式中、Ｙ２２およびＹ２３は、それぞれ独立に、単結合、アルキレン基またはアリーレン基を示す。）で示される２価の基を示す。ただし、Ｒ２１〜Ｒ２４のうち少なくとも１つは−Ｙ２１ＣＯＯＨで示される１価の基である。）
【請求項２】
前記有機電子輸送物質が、下記式（１）で示されるイミド系化合物、下記式（２）で示されるベンズイミダゾール系化合物、下記式（３）で示されるベンズイミダゾール系化合物、下記式（４）で示されるベンズイミダゾール系化合物、下記式（５）で示されるキノン系化合物、下記式（６）で示されるキノン系化合物、下記式（７）で示されるキノン系化合物、下記式（８）で示されるシクロペンタジエニリデン系化合物、およびそれらの誘導体からなる群より選択される化合物である請求項１に記載の電子写真感光体。
【化３】
2011095665.tif 000003
（式（１）中、Ｒ１およびＲ２は、それぞれ独立に、置換もしくは無置換のアルキル基または置換もしくは無置換のアリール基を示す。ｎは、１である。）
【化４】
2011095665.tif 000004
（式（２）中、Ｒ３〜Ｒ６は、それぞれ独立に、水素原子、置換もしくは無置換のアルキル基またはハロゲン基を示す。ｎは、１である。）
【化５】
2011095665.tif 000005
（式（３）中、Ｒ７〜Ｒ１０は、それぞれ独立に、水素原子、置換もしくは無置換のアルキル基またはハロゲン基を示す。ｎは、１である。）
【化６】
2011095665.tif 000006
（式（４）中、Ｒ１１およびＲ１２は、それぞれ独立に、水素原子、置換もしくは無置換のアルキル基、ハロゲン基またはニトロ基を示す。Ｒ１３は、置換もしくは無置換のアルキル基もしくは置換もしくは無置換のアリール基を示す。ｎは、１である。）
【化７】
2011095665.tif 000007
（式（５）中、Ｒ１４〜Ｒ２１は、それぞれ独立に、水素原子または置換もしくは無置換のアルキル基を示し、あるいは、Ｒ（Ｒ１４〜Ｒ２１）同士が結合し、環状になっていてもよい。）
【化８】
2011095665.tif 000008
（式（６）中、Ｒ３１は、酸素原子またはジシアノメチレン基を示す。Ｒ３２〜Ｒ３９は、それぞれ独立に、水素原子、置換もしくは無置換のアルキル基、置換もしくは無置換のアリール基、ハロゲン基またはニトロ基を示す。Ｘ２は、炭素原子または窒素原子を示す。Ｘ２が窒素原子の場合、Ｒ３５およびＲ３６は存在しない。）
【化９】
2011095665.tif 000009
（式（７）中、Ｒ４０は、水素原子またはジシアノメチレン基を示す。Ｒ４１〜Ｒ４８は、それぞれ独立に、水素原子、水酸基、カルボキシル基、ハロゲン基または置換もしくは無置換のアルキル基を示す。Ｘ３は、炭素原子または窒素原子を示す。Ｘ３が窒素原子の場合、Ｒ４３およびＲ４７は存在しない。）
【化１０】
2011095665.tif 000010
（式（８）中、Ｒ２２は、酸素原子、ジシアノメチレン基またはアニリデン基を示す。アニリデン基は、アルキル基を有してもよい。Ｒ２３〜Ｒ３０は、それぞれ独立に、水素原子、エステル基またはニトロ基を示す。Ｘ１は、炭素原子または窒素原子を示す。Ｘ１が窒素原子の場合、Ｒ２６およびＲ２７は存在しない。）
【請求項３】
前記ポリオレフィン樹脂中における（Ａ１）の質量比率（％）が６８質量％以上９６質量％以下である請求項１又は２に記載の電子写真感光体。
【請求項４】
前記ポリオレフィン樹脂中における（Ａ１）の質量比率（％）が７５質量％以上９４質量％以下である請求項１又は２に記載の電子写真感光体。
【請求項５】
前記ポリオレフィン樹脂が、さらに下記式（３１）、（３２）、（３３）または（３４）で示される繰り返し構造単位を有する請求項１〜４のいずれか１項に記載の電子写真感光体。
【化１１】
2011095665.tif 000011
（式（３１）〜（３４）中、Ｒ３１〜Ｒ３５は、それぞれ独立に、水素原子またはメチル基を示し、Ｒ４１〜Ｒ４３は、それぞれ独立に、炭素数１〜１０のアルキル基を示し、Ｒ５１〜Ｒ５３は、それぞれ独立に、水素原子または炭素数１〜１０のアルキル基を示す。）
【請求項６】
前記ポリオレフィン樹脂中における（Ａ１）の炭素数が２〜４である請求項２〜５のいずれか１項に記載の電子写真感光体。
【請求項７】
請求項１〜６のいずれか１項に記載の電子写真感光体と、帯電手段、現像手段、転写手段およびクリーニング手段からなる群より選択される少なくとも１つの手段とを一体に支持し、電子写真装置本体に着脱自在であるプロセスカートリッジ。
【請求項８】
請求項１〜６のいずれか１項に記載の電子写真感光体、帯電手段、露光手段、現像手段および転写手段を有する電子写真装置。
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
支持体上に中間層用塗布液を塗布して塗膜を形成し、該塗膜を乾燥させて中間層を形成する工程、および、
該中間層上に感光層用塗布液を塗布して塗膜を形成し、該塗膜を乾燥させて感光層を形成する工程
を有する電子写真感光体の製造方法において、
該支持体上に該中間層用塗布液を塗布するときの該支持体の温度をＴ１（℃）とし、該支持体上に該中間層用塗布液を塗布するときの中間層用塗布液の温度をＴ２（℃）としたとき、（Ｔ１−Ｔ２）が３℃以上２０℃以下であり、
該中間層用塗布液が樹脂粒子を含有し、
該中間層用塗布液中の全固形分濃度が１０質量％以上であり、
温度２３℃／１気圧で測定した該中間層用塗布液の粘度が２．０ｃｐ以上２０．０ｃｐ以下である
ことを特徴とする電子写真感光体の製造方法。
【請求項２】
前記中間層用塗布液が、光散乱粒度分布計を用いて測定した体積平均粒径が０．０５μｍ以上０．５０μｍ以下の樹脂粒子を含有する水性分散液である請求項１に記載の電子写真感光体の製造方法。
【請求項３】
前記樹脂粒子がポリオレフィン樹脂粒子である請求項１または２に記載の電子写真感光体の製造方法。
【請求項４】
前記ポリオレフィン樹脂が下記（Ａ１）、（Ａ２）および（Ａ３）を有し、前記ポリオレフィン樹脂の（Ａ１）、（Ａ２）および（Ａ３）の質量比が下記式（１）および（２）を満たす請求項３に記載の電子写真感光体の製造方法。
０．０１≦［（Ａ２）／｛（Ａ１）＋（Ａ２）＋（Ａ３）｝］×１００≦１０  式（１）
（Ａ１）／（Ａ３）＝５５／４５〜９９／１  式（２）
（Ａ１）：下記式（１１）で示される繰り返し構造単位
【化１】
2011095663.tif 000001
（式（１１）中、Ｒ１１〜Ｒ１４は、それぞれ独立に、水素原子、アルキル基を示す。）（Ａ２）：下記式（２１）または（２２）で示される繰り返し構造単位
【化２】
2011095663.tif 000002
（式（２１）および（２２）中、Ｒ２１〜Ｒ２４は、それぞれ独立に、水素原子、アルキル基、フェニル基または−Ｙ２１ＣＯＯＨ（式中、Ｙ２１は、単結合、アルキレン基またはアリーレン基を示す。）で示される１価の基を示し、Ｒ２５およびＲ２６は、それぞれ独立に、水素原子、アルキル基またはフェニル基を示し、Ｘ２１は、−Ｙ２２ＣＯＯＣＯＹ２３−（式中、Ｙ２２およびＹ２３は、それぞれ独立に、単結合、アルキレン基またはアリーレン基を示す。）で示される２価の基を示す。ただし、Ｒ２１〜Ｒ２４のうち少なくとも１つは−Ｙ２１ＣＯＯＨで示される１価の基である。）
（Ａ３）：下記式（３１）、（３２）、（３３）または（３４）で示される繰り返し構造単位
【化３】
2011095663.tif 000003
（式（３１）〜（３４）中、Ｒ３１〜Ｒ３５は、それぞれ独立に、水素原子またはメチル基を示し、Ｒ４１〜Ｒ４３は、それぞれ独立に、炭素数１〜１０のアルキル基を示し、Ｒ５１〜Ｒ５３は、それぞれ独立に、水素原子または炭素数１〜１０のアルキル基を示す。）
【請求項５】
前記ポリオレフィン樹脂の（Ａ１）、（Ａ２）および（Ａ３）の質量比が下記式を満たす請求項４に記載の電子写真感光体の製造方法。
０．０１≦（Ａ２）／［｛（Ａ１）＋（Ａ２）＋（Ａ３）｝］×１００≦５
【請求項６】
前記水性分散液における水性媒体に対する水の含有比率が４質量％以上である請求項１〜５のいずれか１項に記載の電子写真感光体の製造方法。
【請求項７】
前記支持体上に前記中間層用塗布液を塗布して塗膜を形成し、該塗膜を乾燥させて前記中間層を形成する工程が、
前記支持体上に導電層を形成し、前記中間層用塗布液を該導電層上に塗布して塗膜を形成し、該塗膜を乾燥させて前記中間層を形成する工程である請求項１〜６のいずれか１項に記載の電子写真感光体の製造方法。
【請求項８】
前記支持体上に前記中間層用塗布液を塗布して塗膜を形成し、該塗膜を乾燥させて前記中間層を形成する工程の前に、前記支持体を洗浄する工程をさらに有し、
前記支持体を洗浄する工程が、温度８０℃以上の温水に前記支持体を浸漬することを含む請求項１〜７のいずれか１項に記載の電子写真感光体の製造方法。
【手続補正２】
【補正対象書類名】明細書
【補正対象項目名】００１０
【補正方法】変更
【補正の内容】
【００１０】
本発明から、以下の電子写真感光体の製造方法が提供される。
支持体上に中間層用塗布液を塗布して塗膜を形成し、該塗膜を乾燥させて中間層を形成する工程、および、
該中間層上に感光層用塗布液を塗布して塗膜を形成し、該塗膜を乾燥させて感光層を形成する工程
を有する電子写真感光体の製造方法において、
該支持体上に該中間層用塗布液を塗布するときの該支持体の温度をＴ１（℃）とし、該支持体上に該中間層用塗布液を塗布するときの該中間層用塗布液の温度をＴ２（℃）としたとき、（Ｔ１−Ｔ２）が３℃以上２０℃以下であり、
該中間層用塗布液が樹脂粒子を含有し、
該中間層用塗布液中の全固形分濃度が１０質量％以上であり、
温度２３℃／１気圧で測定した該中間層用塗布液の粘度が２．０ｃｐ以上２０．０ｃｐ以下である
ことを特徴とする電子写真感光体の製造方法。
【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
導電性支持体を有し、該導電性支持体上に第１の中間層と第２の中間層と感光層とをこの順に有する電子写真感光体において、
前記第２の中間層がポリオレフィン樹脂および体積平均粒径が２０ｎｍ以下の金属酸化物を含有し、
前記第１の中間層が金属酸化物を含有し、前記第１の中間層が含有する金属酸化物の体積平均粒径が前記第２の中間層が含有する金属酸化物の体積平均粒径の１０倍以上２００倍以下であることを特徴とする電子写真感光体。
【請求項２】
前記第２の中間層が、含有する金属酸化物は、体積平均粒径が１０ｎｍ以下である請求項１に記載の電子写真感光体。
【請求項３】
前記ポリオレフィン樹脂は、オレフィンのみを重合させて得られる重合体、またはオレフィンとオレフィン以外のモノマーとを共重合させて得られる重合体である請求項１または２に記載の電子写真感光体。
【請求項４】
前記ポリオレフィン樹脂は、下記（Ａ１）、（Ａ２）および（Ａ３）を有し、（Ａ１）、（Ａ２）および（Ａ３）の質量比が下記の式を満たす請求項１〜３のいずれか１項に記載の電子写真感光体。
０．０１≦［（Ａ２）／｛（Ａ１）＋（Ａ２）＋（Ａ３）｝］×１００≦３０
５５／４５≦（Ａ１）／（Ａ３）≦９９／１
（Ａ１）：下記式（１１）で示される繰り返し構造単位
【化１】
2011095670.tif 000001
（式（１１）中、Ｒ１１〜Ｒ１４は、それぞれ独立に、水素原子、アルキル基を示す。）
（Ａ２）：下記式（２１）または（２２）で示される繰り返し構造単位
【化２】
2011095670.tif 000002
（式（２１）および（２２）中、Ｒ２１〜Ｒ２４は、それぞれ独立に、水素原子、アルキル基、フェニル基または−Ｙ２１ＣＯＯＨ（式中、Ｙ２１は、単結合、アルキレン基またはアリーレン基を示す。）で示される１価の基を示し、Ｒ２５およびＲ２６は、それぞれ独立に、水素原子、アルキル基またはフェニル基を示し、Ｘ２１は、−Ｙ２２ＣＯＯＣＯＹ２３−（式中、Ｙ２２およびＹ２３は、それぞれ独立に、単結合、アルキレン基またはアリーレン基を示す。）で示される２価の基を示す。ただし、Ｒ２１〜Ｒ２４のうち少なくとも１つは−Ｙ２１ＣＯＯＨで示される１価の基である。）
（Ａ３）：下記式（３１）、（３２）、（３３）または（３４）で示される繰り返し構造単位
【化３】
2011095670.tif 000003
（式（３１）〜（３４）中、Ｒ３１〜Ｒ３５は、それぞれ独立に、水素原子またはメチル基を示し、Ｒ４１〜Ｒ４３は、それぞれ独立に、炭素数１〜１０のアルキル基を示し、Ｒ５１〜Ｒ５３は、それぞれ独立に、水素原子または炭素数１〜１０のアルキル基を示す。）
【請求項５】
前記（Ａ１）、（Ａ２）および（Ａ３）の質量比が、下記の式を満たすポリオレフィン樹脂である請求項４に記載の電子写真感光体。
０．０１≦［（Ａ２）／｛（Ａ１）＋（Ａ２）＋（Ａ３）｝］×１００≦１０
【請求項６】
前記（Ａ１）、（Ａ２）および（Ａ３）の質量比が、下記の式を満たすポリオレフィン樹脂である請求項５に記載の電子写真感光体。
０．０１≦［（Ａ２）／｛（Ａ１）＋（Ａ２）＋（Ａ３）｝］×１００≦５
【請求項７】
前記（Ａ１）、（Ａ２）および（Ａ３）が、下記式（１１１）、（２２１）および（３１１）で示される繰り返し構造単位または下記式（１１１）、（２２１）および（３１２）で示される繰り返し構造単位である請求項４〜６のいずれか１項に記載の電子写真感光体。
【化４】
2011095670.tif 000004
【請求項８】
前記第１の中間層が含有する金属酸化物の体積平均粒径が前記第２の中間層が含有する金属酸化物の体積平均粒径の２０倍以上２００倍以下である請求項１〜７のいずれか１項に記載の電子写真感光体。
【請求項９】
請求項１〜８のいずれか１項に記載の電子写真感光体を備えたプロセスカートリッジ。
【請求項１０】
請求項１〜８のいずれか１項に記載の電子写真感光体を備えた電子写真装置。